(57)【要約】【課題】  搬送経路でジャムが発生した時にジャム解除ダイヤルを回しながら詰まった用紙を引っ張り出す用紙搬送装置において、ジャム解除ダイヤルの操作時に操作感を軽くする手段を提供する。【解決手段】  本発明に係るＡＤＦ１は、所定の搬送経路８に複数配置され、原稿６をニップしながら搬送経路８に沿って搬送する搬送ローラ対１３，１４，１５と、搬送ローラ対１３を手動により回転させるためのジャム解除ダイヤル３４と、搬送ローラ対１３，１４，１５の各ローラ軸２３の間に掛け回されて、搬送ローラ対１３の回転を他の搬送ローラ対１４，１５に伝達するベルト３８と、を備えるものである。【選択図】  図５
2010132386.tif 000002
【特許請求の範囲】
【請求項１】
所定の搬送経路に複数配置され、用紙をニップしながら前記搬送経路に沿って搬送する搬送ローラ対と、
前記複数の搬送ローラ対を構成するいずれかの搬送ローラ対を手動により回転させるためのジャム解除ダイヤルと、
前記いずれかの搬送ローラ対のローラ軸と、前記複数の搬送ローラ対を構成する他の搬送ローラ対のローラ軸との間に掛け回されて、前記いずれかの搬送ローラ対の回転を前記他の搬送ローラ対に伝達する索条体と、
を備えることを特徴とする用紙搬送装置。
【請求項２】
前記索条体がループ状のベルトであって、前記いずれかの搬送ローラ対のローラ軸及び前記他の搬送ローラ対のローラ軸に、前記ベルトが掛け回されるプーリがそれぞれ設けられたことを特徴とする請求項１に記載の用紙搬送装置。
【請求項３】
前記ジャム解除ダイヤルが、前記いずれかの搬送ローラ対のローラ軸と一体的に構成されたことを特徴とする請求項１又は２に記載の用紙搬送装置。
【請求項４】
前記ジャム解除ダイヤルは、その回転方向に向かって略６０°間隔で突出して、操作用の突起が６個設けられたものであることを特徴とする請求項１乃至３のいずれかに記載の用紙搬送装置。
【請求項５】
前記複数の搬送ローラ対が、原稿を画像読取位置へと自動的に搬送する自動原稿搬送装置の搬送経路にそれぞれ配置されたことを特徴とする請求項１乃至４のいずれかに記載の用紙搬送装置。
【発明の詳細な説明】
【技術分野】
【０００１】
本発明は、搬送経路で用紙詰まりが発生した時にジャム解除ダイヤルを回しながら詰まった用紙を引っ張り出す用紙搬送装置に関し、特に、ジャム解除ダイヤルの操作感が軽い用紙搬送装置に関する。
【背景技術】
【０００２】
コピー機、ファクシミリ、スキャナ等は、所定の搬送経路に沿って用紙を搬送しながらその用紙の画像を読み取り或いはその用紙に画像を形成する用紙搬送装置を備えている。この用紙搬送装置は、用紙トレイにセットされた用紙を１枚ずつ搬送経路に繰り込み、搬送経路に沿って適宜配置された搬送ローラでニップして下流側へ搬送した後、排紙トレイに排出するよう構成される。この用紙搬送装置では、搬送経路の途中でジャムすなわち用紙詰まりが発生した場合、装置本体を覆って設けられた外装カバーを開いて搬送経路を露呈させ、詰まった用紙を掴んで引っ張り出せるようになっている。しかし、搬送ローラによってニップされた状態のまま用紙を掴んで引っ張り出そうとすると、用紙が破れてその一部が搬送経路中に残留することがある。従って、用紙搬送装置には、用紙の破れを防止するためのジャム解除ダイヤルが回転可能に設けられる。
【０００３】
ここで、図６は、従来例に係る用紙搬送装置の構成を示す概略平面図である（特許文献１参照）。用紙搬送装置７０は、用紙をニップしながら搬送経路に沿って搬送する一対のレジストローラ７１，７２及び一対の中継ローラ７３（図６では一方のローラのみ表示）と、レジストローラ７１の軸部７４の一端に設けられたジャム解除ダイヤル７５と、軸部７４に固定されたギア７６及びギア７７と、レジストローラ７２の軸部７８に固定されてギア７６に噛み合うギア７９と、中継ローラ７３の軸部８０に設けられたギア８１と、ギア７７の回転をギア８１に伝える複数のギア８２，８３，８４と、を備えるものである。
【０００４】
このように構成される用紙搬送装置７０では、ジャム解除ダイヤル７５を回してレジストローラ７１を回転させると、レジストローラ７１の軸部７４の回転がギア７６とギア７９を介して軸部７８に伝達されることにより、レジストローラ７２も回転する。同時に、軸部７４の回転はギア７７，８２，８３，８４，８１を介して軸部８０にも伝達され、中継ローラ７３も回転する。従って、ジャム解除ダイヤル７５を回すことにより、レジストローラ７１，７２及び中継ローラ７３の全てを手動で回転させることができる。これにより、搬送経路でジャムが発生した場合には、一方の手でジャム解除ダイヤル７５を回して詰まった用紙を搬送経路に沿っていずれかの方向に送りながら、他方の手で用紙を掴んで引っ張れば、用紙を搬送経路からスムーズに引っ張り出すことができ、用紙が破れてその一部が搬送経路中に残留することがない。
【０００５】
ところで、従来のジャム解除ダイヤルには、指先で回す際に指が滑らないよう、その表面に狭い間隔で細かい突起が形成される（例えば、特許文献２の図６参照）。
【０００６】
【特許文献１】特開平５−３２３４８号公報
【特許文献２】特開平１０−４４５５５号公報
【発明の開示】
【発明が解決しようとする課題】
【０００７】
しかし、従来の用紙搬送装置７０では、ジャム解除ダイヤル７５の回転を搬送ローラとしてのレジストローラ７２及び中継ローラ７３に伝達するために、複数のギア７６，７７，７９，８１，８２，８３，８４を噛み合わせているので、それらを回転させるために要する力が大きくなり、ジャム解除ダイヤル７５の操作感が重くなる。特に、各搬送ローラで用紙をニップした状態では各搬送ローラが回りにくく、ジャム解除ダイヤル７５の操作感は一層重くなる。これにより、ジャム解除ダイヤル７５の操作時にユーザが指先に痛みを感じるという問題がある。更に、ジャム解除ダイヤル７５の表面に細かい突起が形成されていると、狭い間隔で形成された突起はその先端が比較的尖鋭な形状となっているので、指先の痛みがより顕著になる。
【０００８】
また、ジャム解除ダイヤル７５の回転を、複数のギア７６，７７，７９，８１，８２，８３，８４を介して複数の搬送ローラにそれぞれ伝達するので、各ギア７６，７７，７９，８１，８２，８３，８４の大きさまたは歯数等の関係によっては、各搬送ローラの周速度に差が生じる。これにより、各搬送ローラ間で用紙が引っ張られることにより、或いは各搬送ローラ間で用紙に弛みが生じることにより、搬送経路から用紙を引っ張り出す作業が阻害されるという問題もある。
【０００９】
本発明は、このような問題に鑑みてなされたものであり、搬送経路でジャムが発生した時にジャム解除ダイヤルを回しながら詰まった用紙を引っ張り出す用紙搬送装置において、ジャム解除ダイヤルの操作感を軽くする手段を提供する。
【課題を解決するための手段】
【００１０】
上記目的を達成するための本発明に係る用紙搬送装置は、所定の搬送経路に複数配置され、用紙をニップしながら前記搬送経路に沿って搬送する搬送ローラ対と、前記複数の搬送ローラ対を構成するいずれかの搬送ローラ対を手動により回転させるためのジャム解除ダイヤルと、前記いずれかの搬送ローラ対のローラ軸と、前記複数の搬送ローラ対を構成する他の搬送ローラ対のローラ軸との間に掛け回されて、前記いずれかの搬送ローラ対の回転を前記他の搬送ローラ対に伝達する索条体と、を備えるものである。
【００１１】
また、本発明に係る用紙搬送装置は、前記索条体がループ状のベルトであって、前記いずれかの搬送ローラ対のローラ軸及び前記他の搬送ローラ対のローラ軸に、前記ベルトが掛け回されるプーリがそれぞれ設けられたものである。
【００１２】
また、本発明に係る用紙搬送装置は、前記ジャム解除ダイヤルが、前記いずれかの搬送ローラ対のローラ軸と一体的に構成されたものである。
【００１３】
また、本発明に係る用紙搬送装置は、前記ジャム解除ダイヤルは、その回転方向に向かって略６０°間隔で突出して、操作用の突起が６個設けられたものである。
【００１４】
また、本発明に係る用紙搬送装置は、前記複数の搬送ローラ対が、原稿を画像読取位置へと自動的に搬送する自動原稿搬送装置の搬送経路にそれぞれ配置されたものである。
【発明の効果】
【００１５】
本発明に係る用紙搬送装置によれば、いずれかの搬送ローラ対の回転を他の搬送ローラ対に伝達する手段として、各ローラ軸に掛け回した索条体を用いているので、複数のギアを噛み合わせて伝達するのと比較して、より軽い操作感ですなわちより小さい力でジャム解除ダイヤルを回すことができる。これにより、ユーザがジャム解除ダイヤルの操作時に指先に痛みを感じにくい。
【００１６】
また、本発明に係る用紙搬送装置によれば、ループ状のベルトとプーリという簡略且つ安価な構成によって、いずれかの搬送ローラ対の回転を他の搬送ローラ対に伝達することができる。
【００１７】
また、本発明に係る用紙搬送装置によれば、ジャム解除ダイヤルがいずれかの搬送ローラ対のローラ軸と一体的に構成されているので、ジャム解除ダイヤルを操作することにより、いずれかの搬送ローラ対の回転を手動で直接的に操作することができる。これにより、ジャム解除ダイヤルと搬送ローラ対の間に伝達機構等がない分、ユーザはより軽い操作感でジャム解除ダイヤルを回すことができ、指先に痛みを感じにくい。
【００１８】
また、本発明に係る用紙搬送装置によれば、ジャム解除ダイヤルは、その回転方向に向かって略６０°間隔で突出して、操作用の突起が６個設けられたものである。このように、１個の突起をある程度大きく形成したことにより、各突起の先端部に施す面取りの径を大きく取ることができる。従って、細かい間隔で小さな突起を形成するのと比較して、各突起の先端部をより丸みを帯びた形状にすることができるので、ジャム解除ダイヤルの操作時にユーザが指先に痛みを感じにくい。
【００１９】
また、本発明に係る用紙搬送装置によれば、複数の搬送ローラ対が、原稿を画像読取位置へと自動的に搬送する自動原稿搬送装置の搬送経路にそれぞれ配置されている。これによれば、ループ状の索条体によって包囲される空間は他の部材を設置することができないデッドスペースになるが、自動原稿搬送装置の搬送経路に設置される搬送ローラ対同士の間隔は、画像形成部の搬送経路に設置される搬送ローラ対同士の間隔より一般的に短いので、デッドスペースの体積は狭くて済む。これにより、スペースの有効利用が可能となり、装置全体として小型化を図ることができる。
【発明を実施するための最良の形態】
【００２０】
まず、本発明の実施例に係る用紙搬送装置について、図面に基づいて説明する。本実施例に係る用紙搬送装置は、コピーファクシミリ複合機の最上部に装備されるいわゆる自動原稿搬送装置（以下、「ＡＤＦ」と略す）であって、複写しようとする原稿またはファクシミリ送信しようとする原稿を、所定の画像読取位置へと自動的に搬送するものである。ここで、図１は、本実施例に係るＡＤＦ１の外観を示す概略斜視図である。ＡＤＦ１は、不図示の搬送経路が設けられた装置本体２と、この装置本体２から突出して設けられた原稿トレイ３と、装置本体２の上部にヒンジ４を介して開閉可能に設けられた外装カバー５と、を備えている。そして、装置本体２の内部でジャムすなわち原稿詰まりが発生した場合には、外装カバー５を開いて搬送経路を露呈させ、詰まった原稿を掴んで引っ張り出すことにより、ジャムを解除できるようになっている。
【００２１】
次に、図２は、ＡＤＦ１の内部構成を示す概略縦断面図である。ＡＤＦ１は、読み取るべき原稿６の束がセットされる原稿トレイ３と、読み取り後の原稿６が排出される排紙トレイ７と、原稿トレイ３から排紙トレイ７へ至る略横Ｕ字形状の搬送経路８と、原稿トレイ３の上にセットされた原稿６の束から最上層の数枚を取り出すピックアップローラ９と、取り出された数枚の原稿６から最上紙だけを分離するセパレートローラ１０及びリタードローラ１１と、搬送経路８に適宜配置されて原稿６を下流側へ搬送する第１〜第４搬送ローラ対１２，１３，１４，１５と、第３搬送ローラ対１４と第４搬送ローラ対１５の間の位置に配置された読取ローラ５０と、第４搬送ローラ対１５より下流側の位置に配置されたプラテンローラ１６と、搬送経路８の最下流部に配置されて原稿６を排紙トレイ７へ排出する排紙ローラ対１７とを備えるものである。また、このＡＤＦ１の下方には、縮小光学系スキャナである第１読取ユニット（不図示）が設けられる一方、ＡＤＦ１を構成する装置本体２の内部には、同じく縮小光学系スキャナである第２読取ユニット１８が設けられている。
【００２２】
このような構成によれば、ＡＤＦ１によって搬送される原稿６は、搬送経路８の表面読取位置１９を通過する際に、読取ローラ５０によって前記第１読取ユニットに密着され、その表面の画像が第１読取ユニットにより読み取られる。また、原稿６は、搬送経路８の裏面読取位置２０を通過する際に、プラテンローラ１６によって第２読取ユニット１８に密着され、その裏面の画像が第２読取ユニット１８により読み取られる。尚、本発明において原稿６の表面とは、原稿トレイ３にセットされた状態で上向きの面を意味し、原稿６の裏面とは、原稿トレイ３にセットされた状態で下向きの面を意味する。
【００２３】
ここで、図３は、図２における第１〜第４搬送ローラ対１２，１３，１４，１５の周辺を拡大した部分拡大縦断面図である。第１〜第４搬送ローラ対１２，１３，１４，１５は、自ら回転して原稿６を搬送経路８に沿って下流側へ搬送するフィードローラ２１と、フィードローラ２１と共に原稿６をニップしてフィードローラ２１の回転に従って回転するプレスローラ２２とから構成される。フィードローラ２１は、金属製のローラ軸２３に所定間隔で樹脂製のローラ本体２４が設けられたものであって、そのローラ軸２３が不図示のモータによって回転駆動される。一方、プレスローラ２２も、フィードローラ２１と同様に金属製のローラ軸２５に所定間隔で樹脂製のローラ本体２６が設けられたものであって、そのローラ本体２６の個数及び間隔は、フィードローラ２１のローラ本体２４の個数及び間隔と略等しくなっている。そして、図３に示すように、第１搬送ローラ対１２と第２搬送ローラ対１３については、フィードローラ２１はそのローラ軸２３が装置本体２によって支持され、プレスローラ２２はそのローラ軸２５が外装カバー５によって支持されている。また、第３搬送ローラ対１４と第４搬送ローラ対１５については、フィードローラ２１とプレスローラ２２の両方のローラ軸２３，２５が装置本体２によって支持されている。
【００２４】
次に、図４は、外装カバー５を開いた状態のＡＤＦ１を示す概略斜視図である。図１に示すヒンジ４を支点として回転させるようにして開いた外装カバー５には、その先端部に前記セパレートローラ１０が回転可能に支持されるとともに、更にこのセパレートローラ１０によって前記ピックアップローラ９が回転可能に支持されている。また、外装カバー５の内側面２７には、前記第１搬送ローラ対１２を構成するプレスローラ２２のローラ本体２６に対応する位置に第１貫通穴２８が、前記第２搬送ローラ対１３を構成するプレスローラ２２のローラ本体２６に対応する位置に第２貫通穴２９がそれぞれ形成されている。これにより、図３に示すように外装カバー５を閉じると、第１搬送ローラ対１２及び第２搬送ローラ対１３を構成するプレスローラ２２のローラ本体２６が、第１貫通穴２８及び第２貫通穴２９を通して、同じく第１搬送ローラ対１２及び第２搬送ローラ対１３を構成するフィードローラ２１のローラ本体２４に、それぞれ押し付けられた状態となる。尚、この外装カバー５の内側面２７が搬送経路８の外側ガイド面を構成する。
【００２５】
一方、図４に示すように、搬送経路８の内側ガイド面を構成する装置本体２の表面３０には、外装カバー５のセパレートローラ１０に対応する位置に、前記リタードローラ１１が回転可能に支持されている。そして、このリタードローラ１１より搬送経路８に沿って下流側の位置には、第１搬送ローラ対１２を構成するフィードローラ２１の各ローラ本体２４が、装置本体２の表面３０から突出している。また、この第１搬送ローラ対１２より搬送経路８に沿って下流側の位置には、第２搬送ローラ対１３を構成するフィードローラ２１の各ローラ本体２４が、装置本体２の表面３０から突出している。尚、図４に詳細は示さないが、第３搬送ローラ対１４と第４搬送ローラ対１５を構成するフィードローラ２１の各ローラ本体２４も、装置本体２の表面３０から突出している。また、図４に示すように、原稿搬送方向に向かって装置本体２の左右両側には、樹脂製の支持フレーム３１，３２がそれぞれ設けられ、第２搬送ローラ対１３，第３搬送ローラ対１４，及び第４搬送ローラ対１５を構成する各フィードローラ２１は、そのローラ軸２３の両端部が左右の支持フレーム３１，３２によってそれぞれ回転可能に支持されている。そして、図４にはその一部しか表れていないが、原稿搬送方向に向かって左側の支持フレーム３１には、その外側面にすなわち搬送経路８に面する側とは逆側の面に、搬送経路８で発生したジャムを解除するために使用するジャム解除機構３３が設けられている。
【００２６】
ここで、図５は、支持フレーム３１の外側面に設けられたジャム解除機構３３を示す概略側面図である。ジャム解除機構３３は、第２搬送ローラ対１３のフィードローラ２１に取り付けられたジャム解除ダイヤル３４と、同じく第２搬送ローラ対１３のフィードローラ２１に取り付けられた第２プーリ３５と、第３搬送ローラ対１４のフィードローラ２１に取り付けられた第３プーリ３６と、第４搬送ローラ対１５のフィードローラ２１に取り付けられた第４プーリ３７と、第２〜第４プーリ３５，３６，３７の周囲をループ状に掛け回されたベルト（索条体）３８と、第２プーリ３５と第３プーリ３６の間でベルト３８に接触して設けられた弛み防止プーリ３９と、を備えている。尚、ジャム解除機構３３を構成するものではないが、図５に示すように、第３搬送ローラ対１４に近接した位置には前記読取ローラ５０が配置されており、この読取ローラ５０は、モータ等で駆動される駆動ローラ５１の回転に従って回転する。
【００２７】
ジャム解除ダイヤル３４は、第２搬送ローラ対１３をユーザが手動で回転させるためのものである。このジャム解除ダイヤル３４は、図５に示すように、平面視で略星型の形状を有する樹脂製の部材であって、周方向に略６０°間隔で突出する６個の突起４０を有している。各突起４０は、平面視で略正三角形の形状を有し、その先端部分４１及び隣接する突起４０との接続部分４２は面取りされて丸みを帯びた形状となっている。このように構成されるジャム解除ダイヤル３４は、第２搬送ローラ対１３を構成するフィードローラ２１のローラ軸２３の一端部であって、左側の支持フレーム３１を貫通して外側に突出した部分に固定される。これにより、ジャム解除ダイヤル３４は、第２搬送ローラ対１３のフィードローラ２１と一体的に回転する。そして、ジャム解除ダイヤル３４は、図５に示すように、その一部の突起４０が支持フレーム３１の最上部より上に突出している。従って、ユーザは、図４に示すように外装カバー５を開いた状態では、支持フレーム３１の最上部より突出した突起４０を指先で操作することにより、ジャム解除ダイヤル３４を回すことができる。一方、外装カバー５を閉じた状態では、ジャム解除ダイヤル３４の上方が外装カバー５によって覆われ、且つ、図４に示すように支持フレーム３１の外側には側部フレーム４３が設けられるので、ユーザはジャム解除ダイヤル３４を操作することはできない。
【００２８】
第２プーリ３５，第３プーリ３６，及び第４プーリ３７は、前記ベルト３８とともにベルト３８伝達機構を構成するものである。各プーリ３５，３６，３７は、図５に示すように、その周面に所定ピッチで歯（不図示）が形成されたベルト掛け部４４を有し、各ベルト掛け部４４の外径は互いに略等しい大きさに設定されている。このように構成される第２プーリ３５は、第２搬送ローラ対１３を構成するフィードローラ２１のローラ軸２３の一端部であって、ジャム解除ダイヤル３４より外側の位置に固定されている。これにより、第２プーリ３５は、第２搬送ローラ対１３のフィードローラ２１及びジャム解除ダイヤル３４と一体的に回転する。また、第３プーリ３６は、第３搬送ローラ対１４を構成するフィードローラ２１のローラ軸２３の一端部であって、図４に示す左側の支持フレーム３１を貫通して側部フレーム４３より内側の空間に突出した部分に固定されている。これにより、第３プーリ３６は、第３搬送ローラ対１４のフィードローラ２１と一体的に回転する。同様に、第４プーリ３７は、第４搬送ローラ対１５を構成するフィードローラ２１のローラ軸２３の一端部であって、図４に示す左側の支持フレーム３１を貫通して側部フレーム４３より内側の空間に突出した部分に固定されている。これにより、第４プーリ３７は、第４搬送ローラ対１５のフィードローラ２１と一体的に回転する。
【００２９】
ベルト３８は、各プーリとともにベルト伝達機構を構成するものである。このベルト３８は、図５に示すように、ゴム等からなる帯状の部材がループ状に形成されたものであって、その内周面には、第２〜第４プーリ３５，３６，３７のベルト掛け部４４に形成された歯と同じピッチで歯（不図示）が形成されている。このように構成されるベルト３８は、第２〜第４プーリ３５，３６，３７のベルト掛け部４４に掛け回され、その内周面に形成された歯が、各ベルト掛け部４４に形成された歯にそれぞれ噛み合っている。これにより、このベルト３８を介して第２〜第４プーリ３５，３６，３７の回転が連動している。尚、本発明に係る索条体としては、本実施例のベルト３８に限られず、ワイヤ，ロープ，またはチェーン等を用いることも可能である。
【００３０】
弛み防止プーリ３９は、各プーリ３５，３６，３７間での力の伝達にロスが生じないよう、ベルト３８に張力を付与するためのものである。この弛み防止プーリ３９は、図５に示すように、そのベルト掛け部４５がベルト３８の外側面に押し付けられた状態で、支持フレーム３１から突出して設けられた固定軸４６の先端部に回転可能に支持されている。これにより、第２〜第４プーリ３５，３６，３７の周囲に掛け回されたベルト３８は、弛み防止プーリ３９によって内方へ押さえ付けられることによって、弛みのない緊張した状態となっている。
【００３１】
次に、ジャム解除機構３３の使用方法及びその作用効果について説明する。ジャム解除機構３３を備えたＡＤＦ１でジャムが発生した場合、まずユーザは、図４に示すように外装カバー５を開いて搬送経路８を露呈させる。そして、図４に詳細は示さないが、詰まった原稿６の先端部が図２に示す第３搬送ローラ対１４または第４搬送ローラ対１５の位置まで達してこれらにニップされている場合、ユーザは、図４に示す支持フレーム３１の最上部より上に突出した突起４０を一方の手で操作して、ジャム解除ダイヤル３４を図４において反時計廻りに回転させながら、もう一方の手で原稿６を掴んで搬送経路８から引っ張り出す。すると、図５に示すジャム解除ダイヤル３４の時計廻りへの回転に伴って、第２搬送ローラ対１３を構成するフィードローラ２１のローラ軸２３が時計廻りに回転し、このローラ２３軸に固定された第２プーリ３５も時計廻りに回転する。その結果、第２プーリ３５に噛み合ったベルト３８が時計廻りに周回し、このベルト３８に噛み合った第３プーリ３６と第４プーリ３７も時計廻りに回転する。これにより、第３搬送ローラ対１４及び第４搬送ローラ対１５を構成する各フィードローラ２１が時計廻りにそれぞれ回転する一方、第３搬送ローラ対１４及び第４搬送ローラ対１５を構成する各プレスローラ２２が反時計廻りに回転する。すなわち、第３搬送ローラ対１４と第４搬送ローラ対１５がそれぞれ回転することによって、ニップした原稿６を搬送経路８に沿って上流側へ送るので、ユーザは原稿６を搬送経路８から容易に引っ張り出すことができる。
【００３２】
ここで、前述のようにジャム解除機構３３では、ジャム解除ダイヤル３４の回転を第３搬送ローラ対１４と第４搬送ローラ対１５に伝達する手段として、索条体としてのベルト３８を介したベルト伝達機構を用いている。従って、ギア伝達機構を用いてジャム解除ダイヤル３４の回転を伝達する従来と比較すれば、複数のギアが噛み合うことがないので、ジャム解除ダイヤル３４をより小さな力で操作することができる、すなわち操作感が軽くなる。これにより、ギア伝達機構を用いる場合と比べて、ジャム解除ダイヤル３４の操作時にユーザが指先に痛みを感じにくい。また、前述のように、ベルト伝達機構を構成する第２〜第４プーリ３５，３６，３７は、そのベルト掛け部４４の外径が全て同径に設定されているので、第２〜第４搬送ローラ対１３，１４，１５は全て同じ周速度で回転する。従って、各搬送ローラ対１３，１４，１５が等しい速度で原稿６を上流側へ送るので、各搬送ローラ対１３，１４，１５の間で原稿６に引張力が作用することがなく或いは原稿６に弛みが生じることがなく、ユーザが原稿６を引っ張り出す作業が阻害されない。
【００３３】
また、ジャム解除ダイヤル３４の突起４０は、前述のように周方向に６０°間隔で６個設けられている。このように、１個の突起４０をある程度大きく形成しているので、各突起４０の先端部分４１に施す面取りの径を大きく取ることができる。従って、細かい間隔で小さな突起４０を形成する場合と比較して、各突起４０の先端部分４１をより丸みを帯びた形状にすることができるので、ジャム解除ダイヤル３４の操作時にユーザが指先に痛みを感じにくい。また、１個の突起４０をある程度大きく形成したことによって各突起４０の接続部分４２にも指先が接触しやすくなるが、この接続部分４２も径の大きい面取りが施されて丸みを帯びた形状になっているので、ユーザは指先に痛みを感じにくい。
【００３４】
尚、本実施例では第２〜第４搬送ローラ対１３，１４，１５を手動により回転させたが、手動で回転させる搬送ローラ対の個数及び搬送経路８における位置は、本実施例に限定されず適宜変更することができる。そして、搬送ローラ対の個数及び位置等に応じて、索条体の掛け回し方及び弛み防止プーリ３９の位置等も適宜変更が可能である。
【００３５】
また、ジャム解除ダイヤル３４に形成する突起４０の個数及び形状は、各突起４０がある程度の大きさを有し、且つその先端部分４１及び隣接する突起４０との接続部分４２に、径の大きい面取りが施されていれば、本実施例に限定されず適宜設計変更が可能である。また、本実施例では、ジャム解除ダイヤル３４を第２搬送ローラ対１３のフィードローラ２１に固定したが、これに限られず、ジャム解除ダイヤル３４を第２搬送ローラ対１３とは別に設けて、その回転を不図示のベルト伝達機構等を介して間接的に第２搬送ローラ対１３に伝達してもよい。しかし、本実施例のように、手動で回転させようとする複数の搬送ローラ対の１つである第２搬送ローラ対１３にジャム解除ダイヤル３４を固定して、第２搬送ローラ対１３自体を直接手動で回転させるようにした方が、ベルト伝達機構等を介さない分、ジャム解除ダイヤル３４の操作感をより軽くすることができ、ユーザが操作時に指先に痛みを感じにくいという利点がある。また、第２搬送ローラ対１３自体を直接手動で回転させるようにした方が、ジャム解除ダイヤル３４の回転を第２搬送ローラ対１３に伝達するためのベルト伝達機構等が不要になる分、部品点数を削減してコストダウン及び装置の小型化を図ることができるという利点もある。
【００３６】
また、本実施例では、本発明に係る用紙搬送装置を、原稿６の画像を読み取る画像読取部としてのＡＤＦ１に適用したが、これ以外に、記録紙に画像を形成する画像形成部に適用することも可能である。しかし、本実施例のように画像読取部に適用した方が、ジャム解除機構３３を設けることによって生じるデッドスペースが、画像形成部に適用するよりも狭くて済むという利点がある。より詳細に説明すると、ジャム解除機構３３を構成する索条体は、各搬送ローラのローラ軸間にループ状に掛け回され、この索条体によって包囲される空間は他の部材を設置することができないデッドスペースとなる。ところで、画像読取部の搬送経路に設置される搬送ローラ対同士の間隔は、画像形成部の搬送経路に設置される搬送ローラ対同士の間隔と比較すると、一般的に短いという特徴がある。従って、用紙搬送装置を画像読取部に適用した方が、画像形成部に適用するよりも、索条体によって包囲されるデッドスペースの体積は狭くなる。
【００３７】
また、本実施例に係るＡＤＦ１では、第１読取ユニット及び第２読取ユニット１８として縮小光学系スキャナを用いたが、これに代えて密着光学系スキャナを用いることも可能である。また、本実施例に係るＡＤＦ１は、第１読取ユニットと第２読取ユニット１８で原稿６の表裏両面を読み取る両面読取機として構成したが、第１読取ユニットと第２読取ユニット１８のいずれか一方で原稿６の片面だけを読み取る片面読取機または原稿の表裏両面を読み取る両面読取機としてＡＤＦ１を構成することもできる。更に、本実施例に係るＡＤＦ１はコピーファクシミリ複合機として構成したが、コピー専用機またはファクシミリ専用機等として構成してもよい。
【産業上の利用可能性】
【００３８】
本発明は、搬送経路で用紙詰まりが発生した時にジャム解除ダイヤルを回しながら詰まった用紙を引っ張り出す用紙搬送装置に適用可能である。
【図面の簡単な説明】
【００３９】
【図１】本発明の実施例に係るＡＤＦ１の外観を示す概略斜視図。
【図２】ＡＤＦ１の内部構成を示す概略縦断面図。
【図３】図２における第１〜第４搬送ローラ対１２，１３，１４，１５の周辺を拡大した部分拡大縦断面図。
【図４】外装カバー５を開いた状態のＡＤＦ１を示す概略斜視図。
【図５】ジャム解除機構３３を示す概略側面図。
【図６】従来例に係る用紙搬送装置の構成を示す概略平面図。
【符号の説明】
【００４０】
１  ＡＤＦ（用紙搬送装置）
６  原稿（用紙）
８  搬送経路
１３  第２搬送ローラ対
１４  第３搬送ローラ対
１５  第４搬送ローラ対
１９  表面読取位置（画像読取位置）
２０  裏面読取位置（画像読取位置）
２３  ローラ軸
３４  ジャム解除ダイヤル
３５  第２プーリ
３６  第３プーリ
３７  第４プーリ
３８  ベルト（索条体）
４０  突起
【図１】
2010132386.tif 000003
【図２】
2010132386.tif 000004
【図３】
2010132386.tif 000005
【図４】
2010132386.tif 000006
【図５】
2010132386.tif 000007
【図６】
2010132386.tif 000008